(57)【要約】【課題】節水化された場合においても尿を十分に希釈することができる小便器を提供する。【解決手段】本発明の小便器１は、尿を受けるボウル面２と、その底部に形成される排水口６と、洗浄水を吐水して尿を希釈すると共にボウル面２を洗浄する吐水装置４と、この吐水装置４による洗浄水の吐水を制御する制御部４０と、使用者を検知するマイクロ波センサ４２と、ボウル面２に使用者が放尿すべき輝点Ｔを表示する光照射装置３０とを備え、制御部４０は、マイクロ波センサ４２が使用者を検知している間、吐水装置４から洗浄水を吐水して尿を希釈し、マイクロ波センサ４２が使用者を検知しなくなった後に、吐水装置４から洗浄水を吐水してボウル面２を洗浄水し、吐水装置４を制御して、輝点Ｔが表示された領域及びこの輝点Ｔの所定幅で下方に延びる領域Ａからなる吐水領域の少なくとも一部を通過するような洗浄水の流れを形成する。【選択図】図５
2019148112.tif 000002
【特許請求の範囲】
【請求項１】
尿を受けるボウル面と、
その底部に形成される排水口と、
洗浄水を吐水して尿を希釈すると共に上記ボウル面を洗浄する吐水装置と、
この吐水装置による洗浄水の吐水を制御する制御部と、
使用者を検知するセンサと、
上記ボウル面に使用者が放尿すべきターゲットマークを表示する表示手段と、
を有し、
上記制御部は、上記センサが使用者を検知している間、上記吐水装置から洗浄水を吐水して尿を希釈し、上記センサが使用者を検知しなくなった後に、上記吐水装置から洗浄水を吐水して上記ボウル面を洗浄し、
上記制御部は、洗浄水を吐水して尿を希釈するとき、上記吐水装置を制御して、上記ターゲットマークが表示された領域及びこのターゲットマークの所定幅で下方に延びる領域からなる吐水領域の少なくとも一部を通過するような洗浄水の流れを形成することを特徴とする小便器。
【請求項２】
上記吐水装置は、上記ターゲットマークの位置に対して左右方向に偏心して配置された吐水口を備え、
上記制御部は、上記吐水装置を制御して、上記吐水口から上記ターゲットマークの所定幅で下方に延びる領域を流れるように第１の瞬間流量の洗浄水を吐水して尿を希釈させる、請求項１に記載の小便器。
【請求項３】
上記制御部は、上記吐水装置を制御して、上記吐水装置の吐水口から上記ターゲットマークが表示された領域の少なくとも一部を流れるように第２の瞬間流量の洗浄水を吐水して尿を希釈させる、請求項１に記載の小便器。
【請求項４】
上記制御部は、上記吐水装置を制御して、上記吐水装置の吐水口から上記ターゲットマークが表示された領域の全域を流れるように洗浄水を吐水して尿を希釈させる、請求項３に記載の小便器。
【請求項５】
上記制御部は、上記吐水装置を制御して、上記吐水装置の吐水口から洗浄水が広がった後に縮小し、その縮小する部分が上記ターゲットマークが表示された領域を流れるように洗浄水を吐水して尿を希釈させる、請求項３又は４に記載の小便器。
【請求項６】
上記表示手段は、上記ボウル面に光を照射することにより上記ターゲットマークを表示する光照射装置であり、
上記制御部は、上記光照射装置を制御して、洗浄水を吐水して尿を希釈しているときに上記ボウル面に上記ターゲットマークを表示させる、請求項１乃至５の何れか１項に記載の小便器。
【請求項７】
上記制御部は、上記光照射装置による光の照射を開始させた後に、上記吐水装置を制御して、尿を希釈するための洗浄水の吐水を開始させる、請求項６に記載の小便器。
【請求項８】
上記制御部は、尿を希釈するための洗浄水の吐水を終了させる前に、上記光照射装置による光の照射を終了させる、請求項６又は７に記載の小便器。
【発明の詳細な説明】
【技術分野】
【０００１】
本発明は、小便器に係わり、特に、洗浄水により尿を希釈する小便器に関する。
【背景技術】
【０００２】
小便器を使用した後に、小便器に洗浄水を流しても放尿された尿が小便器の排水トラップや壁裏の横引配管内に残ることがある。排水トラップに流入する尿の濃度が高ければ高いほど尿が残存する可能性が高まり、尿石が発生して配管内が閉塞される可能性がある。そこで、特許文献１の小便器においては、使用者が放尿している間に小便器のボウル面に洗浄水を供給することによって、排水トラップに流入する前に尿を希釈させている。
【先行技術文献】
【特許文献】
【０００３】
【特許文献１】特開２０１２−１４９４１５号公報
【発明の概要】
【発明が解決しようとする課題】
【０００４】
しかしながら、近年の節水化により、尿の希釈に使用される洗浄水の水量を減らすことが要請されている。上述した特許文献１の小便器において節水化を行うと、洗浄水をボウル面の一部にしか流すことが出来ないので、使用者の放尿方向によっては尿が希釈されず、高い濃度の状態で排出されてしまうという問題がある。即ち、節水化した場合、十分に尿を希釈することができないという問題がある。
【０００５】
従って、本発明は、上述した従来技術の問題を解決するためになされたものであり、節水化された場合においても尿を十分に希釈することができる小便器を提供することを目的としている。
【課題を解決するための手段】
【０００６】
上述した課題を解決するために、本発明は、尿を受けるボウル面と、その底部に形成される排水口と、洗浄水を吐水して尿を希釈すると共にボウル面を洗浄する吐水装置と、この吐水装置による洗浄水の吐水を制御する制御部と、使用者を検知するセンサと、ボウル面に使用者が放尿すべきターゲットマークを表示する表示手段と、を有し、制御部は、センサが使用者を検知している間、吐水装置から洗浄水を吐水して尿を希釈し、センサが使用者を検知しなくなった後に、吐水装置から洗浄水を吐水してボウル面を洗浄し、制御部は、洗浄水を吐水して尿を希釈するとき、吐水装置を制御して、ターゲットマークが表示された領域及びこのターゲットマークの所定幅で下方に延びる領域からなる吐水領域の少なくとも一部を通過するような洗浄水の流れを形成する、ことを特徴とする。
このように構成された本発明においては、使用者がターゲットマークに向けて放尿するので、尿の着地点が安定する。使用者が放尿しているときに、ターゲットマークが表示された領域及びこのターゲットマークの所定幅で下方に延びる領域からなる吐水領域の少なくとも一部を洗浄水が通過するので、排水口から排出される前に、ターゲットマークに向けて放尿された尿が洗浄水と混ざって希釈される。したがって、節水化した場合、尿を十分に希釈させることができる。
【０００７】
本発明において、好ましくは、吐水装置は、ターゲットマークの位置に対して左右方向に偏心して配置された吐水口を備え、制御部は、吐水装置を制御して、吐水口からターゲットマークの所定幅で下方に延びる領域を流れるように第１の瞬間流量の洗浄水を吐水して尿を希釈させる。
このように構成された本発明によれば、尿が着地するターゲットマークではない領域を洗浄水が流れるので、尿が洗浄水と衝突して飛び跳ねることを抑制することができると共に、尿を十分に希釈させることができる。
【０００８】
また、本発明において、好ましくは、制御部は、吐水装置を制御して、吐水装置の吐水口からターゲットマークが表示された領域の少なくとも一部を流れるように第２の瞬間流量の洗浄水を吐水して尿を希釈させる。
このように構成された本発明によれば、尿が着地するターゲットマークの少なくとも一部を洗浄水が流れるので、ターゲットマークへと放尿された尿が洗浄水と混ざって希釈される。
【０００９】
本発明において、好ましくは、制御部は、吐水装置を制御して、吐水装置の吐水口からターゲットマークが表示された領域の全域を流れるように洗浄水を吐水して尿を希釈させる。
このように構成された本発明によれば、尿が着地するターゲットマークの全域を洗浄水が流れるので、尿が洗浄水とより確実に混ざって希釈される。
【００１０】
また、本発明において、好ましくは、制御部は、吐水装置を制御して、吐水装置の吐水口から洗浄水が広がった後に縮小し、その縮小する部分がターゲットマークが表示された領域を流れるように洗浄水を吐水して尿を希釈させる。
このように構成された本発明によれば、洗浄水が広がった後に縮小するように流れる場合においても、縮小する部分がターゲットマークを流れるので、尿が洗浄水と混ざって希釈される。
【００１１】
本発明において、好ましくは、表示手段は、ボウル面に光を照射することによりターゲットマークを表示する光照射装置であり、制御部は、光照射装置を制御して、洗浄水を吐水して尿を希釈しているときにボウル面にターゲットマークを表示させる。
このように構成された本発明によれば、ターゲットマークが表示されたタイミングに合わせて放尿するように使用者を誘導し、そのタイミングでは洗浄水が流れているので、尿が洗浄水と確実に混ざって希釈される。
【００１２】
また、本発明において、好ましくは、制御部は、光照射装置による光の照射を開始させた後に、吐水装置を制御して、尿を希釈するための洗浄水の吐水を開始させる。
このように構成された本発明によれば、予め使用者の放尿方向を定めるので、尿が洗浄水と確実に混ざって希釈される。
【００１３】
本発明において、好ましくは、制御部は、尿を希釈するための洗浄水の吐水を終了させる前に、光照射装置による光の照射を終了させる。
このように構成された本発明によれば、尿軌道が下がり、ターゲットマークを表示する必要がなくなった時点で照射を終了させ、光照射装置の寿命を延ばすことができる。
【発明の効果】
【００１４】
本発明の小便器によれば、節水化された場合においても尿を十分に希釈させることができる。
【図面の簡単な説明】
【００１５】
【図１】本発明の第一実施形態による小便器を示す斜視図である。
【図２】本発明の第一実施形態による小便器を示す断面図である。
【図３】本発明の第一実施形態による小便器の自動洗浄ユニットを示す概略図である。
【図４】本発明の第一実施形態による小便器の動作を示すフローチャートである。
【図５】本発明の第一実施形態による小便器の吐水形態を示す正面図である。
【発明を実施するための形態】
【００１６】
図１乃至図３を参照して、本発明の第一実施形態による小便器を説明する。
本明細書において、小便器の「背面側」とは、小便器の、壁面に当接する側を示し、小便器の「正面側」とは、小便器の、尿を受ける側（「背面側」の反対側）を示す。また、小便器の「左右方向」とは、小便器が設置される壁面と平行で、水平な方向を示す。
【００１７】
図１に示すように、本発明の第一実施形態による小便器１は、壁面Ｗに取り付けて使用される壁掛けタイプの小便器であり、その底面は床面よりも上方に位置している。また、小便器１は陶器製の小便器である。小便器１は、全体として、壁面Ｗに当接する背面から前端部にかけて幅が狭くなるように形成され、小便器１の内側には尿を受けるボウル面２が形成され、さらに、ボウル面２の左右方向中央の上方には吐水装置４が取り付けられている。小便器１は、使用者が放尿した後、吐水装置４から吐出される洗浄水により、ボウル面２を洗浄するようになっている。
【００１８】
小便器１のボウル面２は、壁面Ｗと概ね平行に延びる正面部２ａと、この正面部２ａの両側から、小便器１の前端部に向けて延びる側面部２ｂを備えている。側面部２ｂは、上端から下方に向けて幅が広くなる三角形状に形成されていると共に、各側面部２ｂの上方は開放されており、ボウル面２には「天井面」に相当する部分がない構造となっている。また、正面部２ａは、その上部においては平面状に形成され、下方にかけて前端部側（使用者が立つ側）にせり出すように湾曲して形成されている。さらに、ボウル面２は、その正面部２ａが各側面部２ｂと滑らかに連なるように形成されている。
【００１９】
図２に示すように、小便器１のボウル面２の底部には、ボウル面２が受けた尿及び洗浄水を小便器１外に排出する排水口６が設けられている。小便器１には、排水口６と連通する排水管路８が設けられ、この排水管路８は、下方に向けて延びる下降管８ａと、この下降管８ａの下端から上方に向けて延びる上昇管８ｂと、この上昇管の上端から壁面Ｗに向けて水平に延びる排出管８ｃを備えている。この排出管８ｃは、外部に位置する排水配管（図示せず）に接続されており、この排水配管は、壁面Ｗの中を通って壁面Ｗから突出するように設けられている。さらに、小便器１の排水口６には、複数の開口部（図示せず）が形成された円盤である目皿１０が配置されている。
【００２０】
次に、図３を参照して、小便器１の自動洗浄ユニットを詳細に説明する。
図３に示すように、小便器１の自動洗浄ユニット９は、人体や尿を検知するマイクロ波センサ４２と、上述した洗浄水をボウル面２へ吐水する吐水装置４と、ボウル面２に光を照射する表示手段である光照射装置３０と、マイクロ波センサ４２からの信号に基づき吐水装置４及び光照射装置３０を制御する制御部４０と、を備えている。
【００２１】
吐水装置４は、尿を希釈するための洗浄水（希釈水）及び小便器１のボウル面２を洗浄するための洗浄水（洗浄水）を小便器１へ供給する。吐水装置４は、尿を希釈するための洗浄水が通過する供給路である希釈用水路系統１２と、ボウル面２を洗浄するための洗浄水が通過する供給路である洗浄用水路系統１３と、ボウル面２の左右方向の中央に設けられボウル面２上に洗浄水を吐水するスプレッダ１４と、を備えている。
【００２２】
希釈用水路系統１２は、水道管１６と接続される第１供給路１８と、この第１供給路１８に設けられ、尿を希釈するための洗浄水の小便器への吐水／止水を制御すると共に吐水される洗浄水の瞬間流量を変更する第１電磁弁２０と、洗浄水をボウル面２上に吐水する第１吐水口２２（図５参照）とを備えている。第１吐水口２２から吐水される洗浄水の瞬間流量は、第１供給路１８に設けられる定流量弁（図示せず）又は第１電磁弁２０にて規定され、瞬間流量は、０．１〜８リットル／分の範囲で設定される。
【００２３】
第１吐水口２２は、スプレッダ１４を小便器１に取り付けた状態において、左右方向の中央線ＣＬから左方向に所定間隔Ｘだけ偏心して配置されている（図５参照）。第１吐水口２２は、円形で形成され、下方に向けて開口している。それにより、尿を希釈するための洗浄水は、中央線ＣＬから左方向に偏心した位置から下方に流れるようになっている（図５のＷ１,Ｗ２参照）。なお、本実施形態は、第１吐水口２２を左方向に偏心して配置させているが、これに代えて、右方向に偏心して配置させても、第１吐水口２２を左右両側に偏心させた状態で２つ設けても良い。
【００２４】
洗浄用水路系統１３は、水道管１６と接続される第２供給路２４と、この第２供給路２４に設けられ、ボウル面２を洗浄するための洗浄水の吐水／止水を制御する第２電磁弁２６と、洗浄水をボウル面２上に吐水する第２吐水口２８とを備えている。第２吐水口２８から吐水される洗浄水の瞬間流量は、第２供給路１４に設けられる定流量弁（図示せず）で規定され、洗浄水の瞬間流量は、８〜１７リットル／分の範囲で設定される。
【００２５】
第２吐水口２８は、スプレッダ１４を小便器１に取り付けた状態において、中央線ＣＬと同軸上に配置されている。第２吐水口２８は、ボウル面２の正面部２ａに概ね沿って延びる薄型の開口であり、下方に向けて扇形に広がるように形成される。第２吐水口２８は、下方且つボウル面２の正面部２に向けて僅かに背面側に傾斜して開口している。それにより、ボウル面２を洗浄するための洗浄水は、吐水装置４から下方に広がるように流れるようになっている（図５のＷ３参照）。
【００２６】
スプレッダ１４は、円筒状で形成され、ボウル部２の正面部２ａの上方に配置されている。また、スプレッダ１４は、ボウル面２の正面部２ａの左右方向の中央線ＣＬと同軸上に配置されている。
【００２７】
光照射装置３０は、ＬＥＤ光源である発光ダイオード３２と、この発光ダイオード３２から発せられた光を所定の広がり角度で照射させるレンズ３４とを備えており、吐水装置４のスプレッダ１４に内蔵されている。また、光照射装置３０は、吐水装置４の各供給路１８,２４及び各吐水口２２,２８の前方側に配置されている。光照射装置３０は、ボウル面２の下方領域に向けた光軸Ｌに沿って光を照射することにより、中央線ＣＬと同軸上の正面部２ａの下方領域に輝点Ｔ（ターゲットマーク）を形成し（図２参照）、使用者が放尿すべき位置を表示するようになっている。それにより、使用者は、輝点Ｔに向け尿軌道Ｕを描いて放尿する。
【００２８】
発光ダイオード３２は、発光する光の色を変更可能な多色タイプのものであり、制御部４０からの指令信号に基づいて、光の色や発光パターンを変更して照射する態様を変更することができるようになっている。光照射装置３０のレンズ３４から射出される光の光軸Ｌは、吐水装置４を取り付ける正面部２ａに対し、所定の傾斜角度αだけ小便器１の正面部２ａから正面側に傾斜するように向けられている。
【００２９】
マイクロ波センサ４２は、電波を送信（放射）する送信部４４と、その反射波を受信する受信部４６とを備えており、これらが、ボウル面２の背面側に配置されている。マイクロ波センサ４２は、ブラケット（図示せず）を介して吐水装置４と一体となって小便器１の背面側に取り付けられている。マイクロ波センサ４２は、送信部４４から正面側下方に向けてボウル面２を透過する電波（マイクロ波）を送信するようになっている。マイクロ波センサ４２は、送信された電波が使用者の人体や放尿された尿に衝突して返ってくる反射波を受信部４６で受信するようになっている。マイクロ波センサ４２は、反射波を受信すると、制御部４０に人体検知信号を送信するようになっている。なお、マイクロ波センサ４２に代えて、赤外線センサ、超音波センサ等を使用しても良い。
【００３０】
制御部４０は、マイクロプロセッサ、タイマ、メモリ、インターフェイス回路、及びこれらを作動させるプログラム等（以上、図示せず）により構成されている。制御部４０は、マイクロ波センサ４２からの検知信号に基づいて、光照射装置３０へ点灯／消灯信号を送信し、所定タイミング及び所定パターンの光を照射させるようになっている。また、制御部４０は、マイクロ波センサ４２の検知信号に基づいて、吐水装置４へ洗浄水の吐水開始／終了信号を送信して、第１電磁弁２０及び第２電磁弁２６を所定タイミングで開閉動作させるようになっている。また、制御部４０は、流量調節スイッチ（図示せず）が操作されることにより、第１電磁弁２０を調節された所定開度で開弁させるようになっている。
【００３１】
次に、本発明の実施形態による小便器１の動作フローについて説明する。図４において、Ｓは各ステップを示す。
【００３２】
まず、図４に示すように、Ｓ１において、使用者を検知したか否かを判定する。具体的には、制御部４０は、マイクロ波センサ４２からの人体検知信号に基づいて、小便器１から所定距離以内に使用者がいるか否かを判定する。制御部４０は、マイクロ波センサ４２から人体検知信号を受信していない場合には、使用者を検知していない（使用者が小便器１に接近していない）と判定して、使用者を検知したか否かの判定を継続する。使用者を検知した場合、即ち、制御部４０が、マイクロ波センサ４２から人体検知信号を受信した場合には、使用者が小便器１に接近して放尿する意思があると判定して、Ｓ２に進む。なお、本実施形態においては、人体検知信号として使用者の人体を検知しているが、これに代えて、使用者の尿を検知してもよい。
【００３３】
次に、Ｓ２において、制御部４０は、人体検知信号の受信と同時に、光照射装置３０に点灯信号を送信し、光照射装置３０の発光ダイオード３２を点灯させる（光照射を開始する）。それにより、光照射装置３０から光が照射されて、ボウル面２の正面部２ａの下方領域に輝点Ｔが表示される。
【００３４】
次に、Ｓ３に進み、制御部４０は、人体検知信号を受信した時点から待機時間を経過した後に、吐水装置４の第１電磁弁２０に開弁信号を送信して、予め規定された第１の所定開度で第１電磁弁２０を開弁し、希釈するための洗浄水の吐水を開始する。待機時間は、制御部４０のメモリに予め記憶されており、タイマでカウントされる。待機時間の長さは、約６〜１１秒であり、使用者が小便器に接近して放尿を開始するまでに要する準備時間として設定されている。第１電磁弁２０が開弁されると、使用者が放尿をしている間に第１吐水口２２からボウル面２の一部に向けて尿を希釈するための洗浄水が吐水される。なお、本実施形態においては、タイマによって第１電磁弁２０を開弁させているが、これに代えて、マイクロ波センサ４２により尿を検知して、使用者が放尿を開始した時点で第１電磁弁２０を開弁させても良い。
【００３５】
次に、Ｓ４に進み、所定時間が経過したか否かを判定する。具体的には、制御部４０が人体検知信号を受信した時点から所定時間を経過したか否かを判定する。ここで、所定時間は、制御部４０のメモリに予め記憶されており、タイマでカウントされる。所定時間の長さは、約９〜１４秒であり、使用者が小便器に接近してから放尿を開始して一定の尿軌道で放尿している（尿の勢いが強い）間の時間として設定されている。即ち、所定時間経過後、使用者により放尿された尿の尿軌道は下がる（尿の勢いが弱まる）。所定時間が経過していない場合、制御部４０は、タイマによるカウントを続ける。所定時間が経過した場合（Ｓ４；Ｙｅｓ）、Ｓ５に進む。
【００３６】
Ｓ５において、制御部４０は、所定時間経過と同時に、光照射装置３０に消灯信号を送信して、光照射装置３０の発光ダイオード３２を消灯させ、光照射を終了する。それにより、ボウル面２の下方領域に表示されていた輝点Ｔが消滅する。なお、本実施形態においては、タイマによって光照射装置３０を消灯させているが、これに代えて、マイクロ波センサ４２により尿を検知して、尿軌道が下がってきた時点で光照射装置３０を消灯させても良い。
【００３７】
次に、Ｓ６に進み、使用者を検知しなくなったか否か（使用者非検知）を判定する。具体的には、制御部４０は、制御部４０は、人体検知信号に基づいて、使用者が小便器から所定距離以上離れたか否かを判定する。制御部４０が人体検知信号を受信している場合、使用者が小便器１を未だ使用していると判定して、継続して信号を受信し続ける。制御部４０が人体検知信号を受信しなくなった場合、使用者が小便器１の使用を終え去ったと判定して、Ｓ７に進む。
【００３８】
Ｓ７において、制御部４０は、吐水装置４の第１電磁弁２０に閉弁信号を送信して、第１電磁弁２０を閉弁させ、それにより、第１吐水口２２からの尿を希釈するための洗浄水の吐水が終了する。
【００３９】
次に、Ｓ８に進み、制御部４０は、第１電磁弁２０の閉弁信号の送信と同時に、吐水装置４の第２電磁弁２６に開弁信号を送信して、予め定め規定された所定開度で第２電磁弁２６を開弁させる。それにより、洗浄水が第２吐水口２８からボウル面２の全体に吐水されて小便器１の洗浄（便器洗浄）が行われる。制御部４０は、所定時間経過後に、吐水装置４の第２電磁弁２６に閉弁信号を送信して、第２電磁弁２６を閉弁させる。それにより、第２吐水口２８からの洗浄水の吐水が停止される。以上により、小便器１の動作を終了する。
【００４０】
次に、図５を参照して、本実施形態による小便器１における尿を希釈するための洗浄水及びボウル面２を洗浄するための洗浄水の吐水形態について説明する。図５において、Ｗ１は尿を希釈するための洗浄水の第１の吐水形態、Ｗ２は、尿を希釈するための洗浄水の第２の吐水形態、Ｗ３は、ボウル面２を洗浄するための洗浄水の吐水形態を表している。
【００４１】
まず、図５において、ボウル面２の正面部２ａの下方領域には、使用者が放尿すべきターゲットマークとしての輝点Ｔが表示されている。輝点Ｔは、所定径（約３０ｍｍ）の円形であり、使用者により放尿される尿の最大断面積より大きな表面積で形成されている。輝点Ｔの下方には、使用者が輝点Ｔに向けて放尿したとき、輝点Ｔに衝突した尿が排水口６に向けて流れる領域Ａが設定されている。領域Ａは、輝点Ｔの直径と略同一の左右方向の所定幅で設定され、輝点Ｔからボウル面に沿って排水口まで下方向に延びる領域として設定されている（図２参照）。
【００４２】
次に、尿を希釈するための洗浄水の第１の吐水形態は、上述したＳ３〜Ｓ７において、制御部４０が第１電磁弁２０を第１の開度で開弁させた場合の形態である。この場合、洗浄水は、中央線ＣＬより所定間隔Ｘだけ偏心された第１吐水口２２から第１の瞬間流量（３〜５リットル／分、この好ましくは３．５〜４．５リットル／分）で吐水される（図５のＷ１参照）。洗浄水は、ボウル面２の正面部２ａ上を左方向に緩やかに湾曲する弧を描きながら流下した後に、輝点Ｔの下方の領域Ａ上を流れる。洗浄水が領域Ａを流れるときに、輝点Ｔに衝突して流下する尿と合流するので、尿は排出口から排出される前に希釈される。
【００４３】
尿を希釈するための洗浄水の第２の吐水形態は、上述したＳ３〜Ｓ７において、制御部４０が第１電磁弁２０を第１の開度より小さい第２の開度で開弁させた場合の形態である。この場合、洗浄水は、中央線ＣＬより所定間隔Ｘだけ偏心された第１吐水口２２から第１の瞬間流量より小さい第２の瞬間流量（０．１２５〜２リットル／分、好ましくは０．１５〜０．１７５リットル／分）で吐水される（図５のＷ２参照）。洗浄水は、瞬間流量が小さいので、第１吐水口２２から吐水された後、上流側において左右方向に幅Ｄ１で広がる部分（拡大流）を形成し、下流側で左右方向に幅Ｄ２で縮小する部分（縮小流）を形成して流れる。この場合の拡大流の幅Ｄ１は、第２の瞬間流量において、２４〜１１２ｍｍであり、縮小流の幅Ｄ２は、５〜５０ｍｍである。洗浄水の縮小する部分は、輝点Ｔの直径と略同じ幅で輝点Ｔ上を流れる。洗浄水が輝点Ｔを流れるときに、輝点Ｔに衝突して尿と合流するので、尿は排出口から排出される前に希釈される。上述した第１の吐水形態と第２の吐水形態とは、メンテナンス作業者等が制御部４０の流量調節スイッチを操作することにより変更される。
【００４４】
次に、ボウル面２を洗浄するための洗浄水の吐水形態は、上述したＳ８において、制御部４０が第２電磁弁２６を開弁させた場合の形態である。この場合、洗浄水は、中央線ＣＬと同軸上である第２吐水口２８から所定の瞬間流量（９リットル／分）、所定の洗浄水量（０．５リットル／回）で吐水される（図５のＷ３参照）。洗浄水は、下方に扇状に広がりながらボウル面２の全体を流れた後に、尿や塵等と共に排出口から排出される。
【００４５】
次に、本実施形態による小便器１の作用効果について説明する。
本実施形態による小便器１においては、尿を受けるボウル面２と、その底部に形成される排水口６と、洗浄水を吐水して尿を希釈すると共にボウル面を洗浄する吐水装置４と、この吐水装置４による洗浄水の吐水を制御する制御部４０と、使用者を検知するマイクロ波センサ４２と、ボウル面２に使用者が放尿すべき輝点Ｔを表示する光照射装置３０とを備えている。小便器１の制御部４０は、マイクロ波センサ４２が使用者を検知している間、吐水装置４から洗浄水を吐水して尿を希釈し、マイクロ波センサ４２が使用者を検知しなくなった後に、吐水装置４から洗浄水を吐水してボウル面２の全体を洗浄する。制御部４０は、洗浄水を吐水して尿を希釈するとき、吐水装置４を制御して、輝点Ｔが表示された領域及びこの輝点Ｔの所定幅で輝点Ｔより下方に延びる領域Ａからなる吐水領域の少なくとも一部を通過するような洗浄水の流れを形成させる。
【００４６】
このように構成された本実施形態においては、使用者が輝点Ｔに向けて放尿するので尿の着地点が安定する。待機時間経過後の使用者が放尿しているときに、その輝点Ｔが表示された領域及びこの輝点Ｔの所定幅で輝点Ｔより下方に延びる領域Ａからなる吐水領域の少なくとも一部を洗浄水が流れるので、排水口６から排出される前に輝点Ｔに向けて放尿された尿が洗浄水と混ざって希釈される。したがって、節水化した場合、尿を十分に希釈させることができる。
【００４７】
また、本実施形態による小便器１においては、吐水装置４は、中央線ＣＬと同軸上にある輝点Ｔの位置に対して左方向に所定間隔Ｘだけ偏心して配置された第１吐水口２２を備えている。また、尿を希釈するための洗浄水の第１の吐水形態において、制御部４０は、第１電磁弁２０を第１の所定開度に制御して、領域Ａを流れるように第１の瞬間流量の洗浄水を吐水して尿を希釈させる。このように構成された本実施形態によれば、尿が着地する輝点Ｔではない領域Ａを洗浄水が流れるので、尿が洗浄水と衝突して飛び跳ねることを抑制することができると共に、尿を十分に希釈させることができる。
【００４８】
尿を希釈するための洗浄水の第２の吐水形態において、制御部４０は、第１電磁弁２０を第２の所定開度を制御して、輝点Ｔの少なくとも一部を流れるように第１の吐水形態の第１の瞬間流量よりも少ない第２の瞬間流量の洗浄水を吐水して尿を希釈させる。このように構成された本実施形態によれば、尿が着地する輝点Ｔの少なくとも一部を洗浄水が流れるので、輝点Ｔに向けて放尿された尿が洗浄水と混ざって希釈される。
【００４９】
また、第２の吐水形態において、制御部４０は、第１電磁弁２０を第２の所定開度に制御して、輝点Ｔの全域（表面全体）を流れるように、輝点Ｔの左右方向の最大幅以上に幅が広くなるように洗浄水を吐水して尿を希釈させる。このように構成された本実施形態によれば、尿が着地する輝点Ｔの全域を洗浄水が流れるので、尿が洗浄水とより確実に混ざって希釈される。
【００５０】
さらに、第２の吐水形態において、自動洗浄ユニット９の制御部４０は、第１電磁弁２０を第２の所定開度に制御して、洗浄水が吐水後に幅Ｄ１で広がった後に幅Ｄ２で縮小し、その幅Ｄ２に縮小する部分（縮小流）が輝点Ｔを流れるように洗浄水を吐水して希釈させる。このように構成された本発明によれば、洗浄水を第２の瞬間流量で吐水した場合、洗浄水は幅Ｄ１で広がった後に幅Ｄ２で縮小するように流れるが、幅Ｄ２に縮小する部分が輝点Ｔを流れるので、尿が洗浄水と混ざって希釈される。
【００５１】
本実施形態による小便器１においては、制御部４０は、光照射装置３０を制御して、洗浄水を吐水して尿を希釈しているときにボウル面２に輝点Ｔを表示させる。このように構成された本実施形態によれば、輝点Ｔが表示されたタイミングに合わせて放尿するように使用者を誘導し、そのタイミングでは洗浄水が流れているので、尿が洗浄水と確実に混ざって希釈される。
【００５２】
また、本実施形態による小便器１においては、制御部４０は、光照射装置３０による光の照射を開始させた後、尿を希釈させるための洗浄水の吐水を開始させる。このように構成された本実施形態によれば、予め使用者の放尿方向を定めるので、尿が洗浄水と確実に混ざって希釈される。
【００５３】
本実施形態による小便器１においては、制御部４０は、尿を希釈するための洗浄水の吐水を終了させる前に、光照射装置３０による光の照射を終了させる。このように構成された本実施形態によれば、輝点Ｔを表示する必要がなくなった時点（尿の軌道が下がった時点）で照射を終了させ、ＬＥＤの電池等を浪費することがなく光照射装置３０の寿命を延ばすことができる。
【００５４】
本実施形態においては、第１吐水口２２から尿を希釈させるための洗浄水を吐水させ、第２吐水口２８からボウル面２を洗浄するための洗浄水を吐水させているが、これに代えて、第１吐水口２２及び第２吐水口２８を同一の吐水口として形成して洗浄水を吐水しても良い。
【００５５】
本実施形態においては、表示手段として光照射装置３０を用いたが、これに代えて、小便器に直接刻印したマークや小便器の表面に貼ったシールなどを用いても良い。
【符号の説明】
【００５６】
１    小便器
２    ボウル面
４    吐水装置
６    排水口
９    自動洗浄ユニット
２０  第１電磁弁
２２  第１吐水口
２６  第２電磁弁
２８  第２吐水口
３０  光照射装置
４０  制御部
４２  マイクロ波センサ
【図１】
2019148112.tif 000003
【図２】
2019148112.tif 000004
【図３】
2019148112.tif 000005
【図４】
2019148112.tif 000006
【図５】
2019148112.tif 000007